(57)【要約】  本発明は、データ保護、データ管理、及び／又は再生互換性を向上させるために、少なくとも１つの物理的アクセス制御（ＰＡＣ）クラスターが書込まれた、高密度及び／又は光記録媒体などの記録媒体、並びに、その記録媒体へ記録し、かつ、その記録媒体から再生する装置及び方法を提供する。
2007529842.tif 000002
【特許請求の範囲】
【請求項１】
少なくとも一つの物理的アクセス制御(ＰＡＣ)クラスターを有する、少なくとも一つのＰＡＣ領域と、
前記少なくとも一つのＰＡＣクラスターの各々について、記録媒体への記録及び／又は記録媒体からの再生を管理するための状態情報を有する、少なくとも一つの管理領域と
を備え、
前記状態情報は、各ＰＡＣクラスターについての無効状態を含むことを特徴とする記録媒体。
【請求項２】
前記無効状態は、前記ＰＡＣクラスターのデータを更新することにより、前記ＰＡＣクラスターは有効でないことを示すことを特徴とする請求項１に記載の記録媒体。
【請求項３】
前記状態情報は、各ＰＡＣクラスターについての欠陥状態をさらに含むことを特徴とする請求項１に記載の記録媒体。
【請求項４】
前記状態情報は、各ＰＡＣクラスターについての有効状態をさらに含むことを特徴とする請求項１に記載の記録媒体。
【請求項５】
前記記録媒体は、１度だけ書込み可能な記録媒体であり、前記少なくとも一つの管理領域は、ＴＤＤＳであることを特徴とする請求項１に記載の記録媒体。
【請求項６】
前記ＰＡＣクラスターについての前記状態情報は、ＴＤＤＳ内において更新されることを特徴とする請求項５に記載の記録媒体。
【請求項７】
前記ＰＡＣクラスターが欠陥であると認識された場合に、前記ＰＡＣクラスターは欠陥状態として示され、スキップされ、次の書込み可能なＰＡＣクラスターが有効状態として書込まれることを特徴とする請求項６に記載の記録媒体。
【請求項８】
前記ＰＡＣクラスターが更新された場合に、前記ＰＡＣクラスターは無効状態として示され、新しく更新されたＰＡＣクラスターは、次の書込み可能なＰＡＣクラスターの位置に有効状態として書込まれることを特徴とする請求項６に記載の記録媒体。
【請求項９】
前記ＰＡＣクラスターが無効である場合に、前記ＰＡＣクラスターの状態情報は、ＴＤＤＳ内において更新されることを特徴とする請求項５に記載の記録媒体。
【請求項１０】
前記ＰＡＣクラスターが無効である場合に、前記無効ＰＡＣクラスターはスキップされ、次のＰＡＣクラスターが、次の書込み可能なＰＡＣクラスター位置に書込まれることを特徴とする請求項９に記載の記録媒体。
【請求項１１】
有効ＰＡＣクラスターが無効、欠陥となり、又は更新された場合に、前記有効ＰＡＣクラスターの状態情報は、取消されることを特徴とする請求項５に記載の記録媒体。
【請求項１２】
前記状態情報は、欠陥状態情報及び／又は割当て状態情報を含むことを特徴とする請求項１に記載の記録媒体。
【請求項１３】
前記欠陥状態情報は、各ＰＡＣクラスターが欠陥であるかどうかを示すことを特徴とする請求項１２に記載の記録媒体。
【請求項１４】
前記欠陥状態情報は、各ＰＡＣクラスターが非欠陥であるかどうかを示すことを特徴とする請求項１２に記載の記録媒体。
【請求項１５】
前記割当て状態情報は、各ＰＡＣクラスターが割り当てられるか否かを示すことを特徴とする請求項１２に記載の記録媒体。
【請求項１６】
前記割当て状態情報は、各ＰＡＣクラスターを新しく割当てることができるか否かを示すことを特徴とする請求項１２に記載の記録媒体。
【請求項１７】
前記状態情報は、少なくとも１ビットを含むことを特徴とする請求項１に記載の記録媒体。
【請求項１８】
前記状態情報は、ＰＡＣ状態ビットマップを含むことを特徴とする請求項１に記載の記録媒体。
【請求項１９】
前記ＰＡＣ状態ビットマップは、各ＰＡＣクラスターの少なくとも有効性を示すことを特徴とする請求項１８に記載の記録媒体。
【請求項２０】
前記ＰＡＣ状態ビットマップは、各ＰＡＣクラスターが未記録か、使用可能かまたは再使用可能か、欠陥か、或いは有効か否かを示すことを特徴とする請求項１９に記載の記録媒体。
【請求項２１】
ＰＡＣ領域内の少なくとも一つのＰＡＣクラスターに関する状態情報を記録媒体内において更新する方法であって、
前記ＰＡＣクラスターが更新されると、更新されたＰＡＣクラスターを前記ＰＡＣ領域内の次の書込み可能なクラスター位置に書込むこと、および、
前記ＰＡＣクラスターの状態情報を無効として書込み、前記更新されたＰＡＣクラスターの状態情報は有効として書込むことによって、状態情報を更新すること
を含むことを特徴とする方法。
【請求項２２】
ＰＡＣ領域における少なくとも一つのＰＡＣクラスターに関する状態情報を、記録媒体内において更新する方法であって、
前記ＰＡＣクラスターの記録又は再生中に、前記ＰＡＣクラスターが欠陥であると確認された場合に、前記ＰＡＣクラスターのデータを前記ＰＡＣ領域内の次の書込み可能なクラスターの位置に書込むこと、および、
前記ＰＡＣクラスターの状態情報を無効又は欠陥として書込み、前記ＰＡＣクラスターの前記データを含む次の書込み可能なＰＡＣクラスターの状態情報は有効として書込むことによって、状態情報を更新すること
を含むことを特徴とする方法。
【請求項２３】
１度だけ書込み可能な記録媒体上でＰＡＣクラスターを更新する方法であって、
ＰＡＣ領域内において前記ＰＡＣクラスターを書込むこと、および、
前記ＰＡＣクラスターを更新すること
を含み、
前記ＰＡＣクラスターの旧バージョンの状態情報を無効として記録し、前記更新されたＰＡＣクラスターの更新されたバージョンの状態情報を有効として記録し、前記ＰＡＣクラスターの前記更新されたバージョンは、ＰＡＣ領域内の他の使用可能なクラスター位置に書込まれることを特徴とする方法。
【請求項２４】
記録媒体への記録及び／又は記録媒体からの再生装置であって、
前記記録媒体上にデータを記録し、前記記録媒体からデータを再生する光記録デバイスを駆動する駆動部と、
少なくとも一つのＰＡＣクラスターを含む少なくとも一つのＰＡＣ領域と、前記少なくとも一つのＰＡＣクラスターの各々についての状態情報を有する少なくとも一つの管理領域とに基づき、データを記録し又は再生するように前記駆動部を制御する制御部と
を備え、
前記ＰＡＣクラスターが更新されると、前記制御部は、更新されたＰＡＣクラスターを前記ＰＡＣ領域内の次の書込み可能なクラスター位置に書込み、前記ＰＡＣクラスターの状態情報を無効として書込み、前記更新されたＰＡＣクラスターの状態情報を有効として書込むことによって、前記状態情報を更新することを特徴とする装置。
【請求項２５】
記録媒体への記録及び／又は記録媒体からの再生装置であって、
前記記録媒体上にデータを記録し、前記記録媒体からデータを再生する光記録デバイスを駆動する駆動部と、
少なくとも一つのＰＡＣクラスターを含む少なくとも一つのＰＡＣ領域と、前記少なくとも一つのＰＡＣクラスターの各々についての状態情報を有する少なくとも一つの管理領域とに基づき、データを記録し又は再生するように前記駆動部を制御する制御部と
を備え、
前記ＰＡＣクラスターの記録又は再生中に、前記ＰＡＣクラスターが欠陥であると確認された場合に、前記制御部は、前記ＰＡＣクラスターのデータを前記ＰＡＣ領域内の次の書込み可能なクラスター位置に書込み、前記ＰＡＣクラスターの状態情報を無効又は欠陥として書込み、前記ＰＡＣクラスターのデータを含む前記次の書込み可能なＰＡＣクラスターを有効として書込むことによって、前記状態情報を更新することを特徴とする装置。
【請求項２６】
１度だけ書込み可能な記録媒体への記録及び／又は前記１度だけ書込み可能な記録媒体からの再生装置であって、
前記１度だけ書込み可能な記録媒体上にデータを記録し、前記１度だけ書込み可能な記録媒体からデータを再生する光記録デバイスを駆動する駆動部と、
少なくとも一つのＰＡＣクラスターを含む少なくとも一つのＰＡＣ領域と、前記少なくとも一つのＰＡＣクラスターの各々についての状態情報を有する少なくとも一つの管理領域とに基づき、データを記録し又は再生するように前記駆動部を制御する制御部と
を備え、
前記制御部は、前記ＰＡＣ領域内に前記ＰＡＣクラスターを書込み、前記ＰＡＣクラスターを更新し、前記制御部は、前記ＰＡＣクラスターの旧バージョンの状態情報を無効として記録し、前記更新されたＰＡＣクラスターの更新されたバージョンの状態情報を有効として記録示し、かつ、前記制御部は、前記ＰＡＣクラスターの前記更新されたバージョンを、前記ＰＡＣ領域内の他の使用可能なクラスター位置に書込むことを特徴とする装置。
【発明の詳細な説明】
【技術分野】
【０００１】
本発明は、物理的アクセス制御(ＰＡＣ;physical access control)の管理、及びデータの書き込みに関し、ＰＡＣを含み、データを記録する媒体（例えば、ブルーレイディスクなどの高密度光ディスク）、及び、その媒体上に又はその媒体からデータを記録／再生する方法及び装置に関する。
【背景技術】
【０００２】
記録媒体として、例えば、大容量のデータを書込むことができる光ディスクが、広く使用されている。中でも、高画質のビデオデータと高音質のオーディオデータとを長時間書込んで格納することができる高密度光記録媒体(ＨＤ−ＤＶＤ)、例えば、ブルーレイディスク(以下、「ＢＤ」と称する)が開発されている。
【０００３】
ＢＤには、書換え可能なブルーレイディスク(ＢＤ−ＲＥ)、１度だけ書込み可能なブルーレイディスク(ＢＤ−ＷＯ)、及び再生専用ブルーレイディスク(ＢＤ-ＲＯＭ)が含まれる。
【０００４】
しかしながら、従来のシステムでは、バージョンが異なるドライブ間に潜在的な非互換性が存在するという問題点がある。例えば、旧バージョンの機能を持つドライブは、新バージョンの少なくとも一つの機能を含むドライブと情報をやりとりする媒体との対話に困難さが存在し得る。
【発明の開示】
【発明が解決しようとする課題】
【０００５】
よって、本発明の目的は、高密度光ディスクのような媒体上にＰＡＣクラスターを提供し、ＰＡＣクラスターを用いて媒体内にデータを記録し、媒体からデータを再生する方法及び装置を提供することにある。
【０００６】
本発明の他の目的は、データ保護、データ管理、及び／又は再生互換性を向上させ、データの破壊を避け、及び／又は、不要な繰り返しの動作を減少させるために、ＰＡＣクラスターを提供することにある。
【０００７】
本発明の他の目的は、高密度光ディスクのような媒体、及び、ＰＡＣクラスターを管理する方法及び装置を提供することにある。
【課題を解決するための手段】
【０００８】
前記目的を達成するために、本発明は、少なくとも一つ以上の物理的アクセス制御(ＰＡＣ)クラスターを持つ少なくとも一つのＰＡＣ領域と、前記少なくとも一つのＰＡＣクラスターの各々についての、記録媒体への記録及び／又は再生を管理するための状態情報を持つ少なくとも一つの管理領域とを含み、前記状態情報は、各ＰＡＣクラスターについての無効状態を含む。
【０００９】
また、本発明は、ＰＡＣ領域内の少なくとも一つのＰＡＣクラスターに関する状態情報を記録媒体内において更新する方法であって、前記ＰＡＣクラスターが更新されると、更新される前記ＰＡＣクラスターをＰＡＣ領域内の次の書込み可能なクラスター位置に書込むこと、当該ＰＡＣクラスターの状態情報を無効として書込み、前記更新されたＰＡＣクラスターの状態情報を有効として書込むことによって、前記状態情報を更新することを含む。
【００１０】
また、本発明は、ＰＡＣ領域内の少なくとも一つのＰＡＣクラスターに関する状態情報を記録媒体内において更新する方法であって、前記ＰＡＣクラスターの記録又は再生中に、前記ＰＡＣクラスターが欠陥であると確認された場合に、前記ＰＡＣクラスターのデータを前記ＰＡＣ領域内の次の書込み可能なクラスターの位置に書込むこと、及び、当該ＰＡＣクラスターの状態情報を無効又は欠陥として書込み、前記ＰＡＣクラスターの前記データを含む次の書込み可能なＰＡＣクラスターの状態情報を有効として書込むことによって、状態情報を更新することを含む。
【００１１】
また、本発明は、１度だけ書込み可能な記録媒体上でＰＡＣクラスターを更新する方法であって、ＰＡＣ領域内に前記ＰＡＣクラスターを書込むこと、及び、前記ＰＡＣクラスターを更新することを含み、前記ＰＡＣクラスターの旧バージョンの状態情報を無効として記録し、前記更新されたＰＡＣクラスターの状態情報を有効として記録し、前記ＰＡＣクラスターの前記更新されたバージョンは、ＰＡＣ領域内の他の使用可能なクラスター位置に書込まれる。
【００１２】
また、本発明は、記録媒体への記録及び／又は記録媒体からの再生装置であって、前記記録媒体上にデータを記録し、前記記録媒体からデータを再生する光記録デバイスを駆動する駆動部（driver）と、少なくとも一つのＰＡＣクラスターを含む少なくとも一つのＰＡＣ領域と、前記少なくとも一つのＰＡＣクラスターの各々についての状態情報を有する少なくとも一つの管理領域とに基づき、データを記録し又は再生するように前記駆動部を制御する制御部とを備え、前記ＰＡＣクラスターが更新されると、前記制御部は、更新されたＰＡＣクラスターを前記ＰＡＣ領域内の次の書込み可能なクラスター位置に書込み、前記ＰＡＣクラスターの状態情報を無効として書込み、前記更新されたＰＡＣクラスターの状態情報を有効として書込むことによって、前記状態情報を更新する。
【００１３】
また、本発明は、記録媒体への記録及び／又は記録媒体からの再生装置であって、前記記録媒体上にデータを記録し、前記記録媒体からデータを再生する光記録デバイスを駆動する駆動部と、少なくとも一つのＰＡＣクラスターを含む少なくとも一つのＰＡＣ領域と、前記少なくとも一つのＰＡＣクラスターの各々についての状態情報を有する少なくとも一つの管理領域とに基づき、データを記録し又は再生するように前記駆動部を制御する制御部とを備え、前記ＰＡＣクラスターの記録又は再生中に、前記ＰＡＣクラスターが欠陥であると確認された場合に、前記制御部は、前記ＰＡＣクラスターのデータを前記ＰＡＣ領域内の次の書込み可能なクラスター位置に書込み、当該ＰＡＣクラスターの状態情報を無効又は欠陥として書込み、前記ＰＡＣクラスターのデータを含む前記次の書込み可能なＰＡＣクラスターを有効として書込むことによって、前記状態情報を更新する。
【００１４】
また、本発明は、１度だけ書込み可能な記録媒体への記録及び／又は前記１度だけ書込み可能な記録媒体からの再生装置であって、前記１度だけ書込み可能な記録媒体上にデータを記録し、前記１度だけ書込み可能な記録媒体からデータを再生する光記録デバイスを駆動する駆動部と、少なくとも一つのＰＡＣクラスターを含む少なくとも一つのＰＡＣ領域と、前記少なくとも一つのＰＡＣクラスターの各々についての状態情報を有する少なくとも一つの管理領域とに基づき、データを記録し又は再生するように前記駆動部を制御する制御部とを備え、前記制御部は、ＰＡＣ領域内に前記ＰＡＣクラスターを書込み、前記ＰＡＣクラスターを更新し、前記制御部は、前記ＰＡＣクラスターの旧バージョンの状態情報を無効として記録し、前記更新されたＰＡＣクラスターの更新されたバージョンの状態情報を有効として記録し、かつ、前記制御部は、前記ＰＡＣクラスターの前記更新されたバージョンを、前記ＰＡＣ領域内の他の使用可能なクラスター位置に書込む。
【００１５】
本発明の上述した一般的な説明及び以下の詳細な説明は、例示及び説明のためのものであり、特許請求の範囲に記載された発明についてのさらなる説明を提供するためのものである。
【００１６】
添付図面は、本発明の追加的な理解のために含まれるもので、本発明の原理を説明するために提供される説明と共に本出願の一部及び本発明の実施形態を構成して結合される。
【発明を実施するための最良の形態】
【００１７】
以下、添付図面に基づき、本発明の好適な実施形態を詳細に説明する。また、図において、同一又は類似な部分は、出来る限り同じ参照符号を付いて説明する。
【００１８】
本発明の実施形態において、「物理的アクセス制御(ＰＡＣ;physical access control)」は、一般的な用語の意味に加えて、ディスクの物理的領域でディスクの全体又は特定セグメントに対するデータの記録／再生制御のためにディスク上に記録される付加的な情報を含む。物理的アクセス制御は、簡単に、「ＰＡＣ」、「ＰＡＣ情報」及び「ＰＡＣ制御情報」とすることができる。また、便宜の上、ＰＡＣが記録されるディスク上の領域を「ＰＡＣ領域」とし、ディスク上のＰＡＣ領域に記録されるクラスター単位のＰＡＣを「ＰＡＣクラスター」とする。さらに、本発明の実施形態によるＰＡＣは、従来バージョン(例えば、「legacy version」)のドライブを含む特定の「PAC_ID」を知らないドライブのために、ディスクの全体又は特定領域に対するデータの記録／再生を制限する「unknown rule」を持つ。「unknown rule」が適用されるＰＡＣを「Unknown PAC」とする。同様に、ＰＡＣ上に記録された既知の「PAC_ID」を「known rule」とし、「PAC specific information」が適用されるＰＡＣを「Known PAC」とする。
【００１９】
以下、図面を参照して、ＰＡＣ領域上に書込まれたＰＡＣ構造の例を詳細に説明する。図１は、本発明の実施形態による１度だけ書込み可能な高密度光ディスクの全体構造を示す図である。図１によれば、１度だけ書込み可能な高密度光ディスクは、ディスクの内周から外周の方向にリード−イン領域、データ領域、リード−アウト領域が割り当てられている。リード−イン領域は、光ディスクの欠陥管理領域と記録管理領域とを含むＴＤＭＡ(temporary disc management area)をさらに含む。１度だけ書込み可能な高密度光ディスクにおいて、ＴＤＭＡは、ディスク上にデータを１度だけ物理的に書込み可能である。よって、ディスク使用期間の間１回以上更新される欠陥管理情報及び記録管理情報をディスク上に書込むためには、追加的なＴＤＭＡがデータ領域内のＩＳＡ(inner spare area)及びＯＳＡ(outer spare area)に含まれることもできる。ＴＤＭＡは、欠陥リストの最初物理的セクター番号やデータ領域の位置情報のような情報を持つＴＤＤＳ(Temporary disc defenition structure)及び／又はＴＤＦＬ(Temporary defect list)を含む。
【００２０】
リード−イン領域内には、ディスクの各種管理情報が書込まれるＩＮＦＯ２領域及びＩＮＦＯ１領域が割り当てられ、ＩＮＦＯ２領域及びＩＮＦＯ１領域にＰＡＣ領域を含むことができる。ＩＮＦＯ２領域に割り当てられたＰＡＣ領域をＰＡＣ２領域とし、ＩＮＦＯ１領域に割り当てられたＰＡＣ領域をＰＡＣ１領域とする。ＰＡＣ２領域及びＰＡＣ１領域の一方はオリジナルＰＡＣを有し、もう一方はオリジナルＰＡＣのコピーを書込むバックアップ領域になり得る。
【００２１】
前述したように、ＰＡＣ領域は、ディスクの全体又は特定セグメントにおけるデータ記録／再生を制御し、ドライブ記録／再生の機能を制限する「unknown rule」を含むことができる。「unknown rule」により制御されるディスク領域は、ＤＭＡ(disc management area)、スペア領域、ユーザーデータ領域及び／又は他の領域を含む。より詳細には、ユーザーデータ領域は、「unknown rule」が適用されるディスク上に定義されたセグメント領域に分けられる。セグメントについては以下に詳細に説明する。
【００２２】
「unknown rule」はディスクの予測可能な動作のために使用されるが、例えば、再生、記録、欠陥領域の線形置換(linear replacement)、１度だけ書込み可能な高密度光ディスクの論理的重ね書き(logical overwrite)などのような動作制御を含む。ディスク上に提供され、「unknown rule」が適用される領域を示すものとして、例えば、ディスクの全体又は特定部分を定義するためのセグメントが提供される。よって、ディスクの領域の定義により、旧バージョンのドライブ装置は「unknown rule」を用いてアクセス可能になり、新バージョンのディスクは旧バージョンのドライブ装置の不要なアクセスを低減できる。また、旧バージョンのドライブ装置のためにＰＡＣを用いてディスクの物理的領域上にアクセス可能な領域を定義することで、領域上に書込まれたユーザーデータを含むデータ領域をより強く保護でき、ディスクに対する不正アクセス(例えば、ハッキング)の防止及び低減が可能である。
【００２３】
次いで、１度だけ書込み可能な高密度光ディスク内のＰＡＣ２領域とＰＡＣ１領域とを有するＩＮＦＯ２領域及びＩＮＦＯ１領域について詳細にする。図２は、本発明の実施形態による１度だけ書込み可能な高密度光ディスクのＩＮＦＯ２領域及びＩＮＦＯ１領域を示す図である。図２によれば、ＩＮＦＯ２領域は、３２クラスターのＰＡＣ２領域と、管理のための３２クラスターのＤＭＡ２領域と、制御情報が書込まれる３２クラスターのＣＤ(Control Data)２領域と、バッファ領域である３２クラスターのＢＺ(Buffer Zone)３領域とを含む２５６クラスターを備える。ＩＮＦＯ１領域は、バッファ領域である３２クラスターのＢＺ２領域と、欠陥管理領域である３２クラスターのＤＭＡ１領域と、制御情報が書込まれる３２クラスターのＣＤ１領域と、３２クラスターのＰＡＣ１領域と、１２８クラスターのドライブ領域とを含む。
【００２４】
すなわち、本発明の実施形態によるＰＡＣ領域は、リード−イン領域内のＩＮＦＯ２領域及びＩＮＦＯ１領域に、各々３２クラスターのサイズを有するように割り当てられる。３２クラスターのサイズを有するＰＡＣ領域が割り当てられ、各ＰＡＣは１クラスターのサイズを有する。さらに、各々１クラスターのサイズを有するＰＡＣの個数は、最大値(例えば、３２クラスター)まで選択可能である。１クラスターのサイズで書込まれるＰＡＣ構造の例を、図３を参照して説明する。
【００２５】
図３は、本発明の実施形態による１度だけ書込み可能な高密度光ディスク上に書込まれたＰＡＣを示す図である。図３によれば、１クラスターのサイズ(これは３２セクターフレーム)を有する一つのＰＡＣは、ヘッダ領域と、特定ディスクドライブ(例えば、光ディスクドライブ)に対する固有情報領域とを含む。ＰＡＣヘッダ領域はＰＡＣの最初フレームに割り当てられる３８４バイトを有し、「unknown PAC rule」及びセグメントに関する情報などの多様なＰＡＣ情報が書込まれる。また、ＰＡＣ領域内の残り領域は、光ディスクドライブの固有の情報が書込まれ、これを「known rule」とする。
【００２６】
前述した構造内に書込まれたＰＡＣ構造の一例を、図４を参照して説明する。また、 より詳細な説明が必要なＰＡＣの特定フィールドについては、当該フィールドを示す図面を参照して説明する。図４は、本発明の実施形態による１度だけ書込み可能な高密度光ディスクのＰＡＣ構造を示す図である。図４によれば、ＰＡＣは、ヘッダ(最初フレームの３８４バイトまで、全てのＰＡＣに適用される)と、ＰＡＣの固有特定情報が書込まれる領域とに分けられる。より詳しくは、ヘッダ部分は、更に３バイトの「PAC_ID」、１バイトの「PAC format」、４バイトの「PAC Update Count」、４バイトの「Unknown PAC Rules」、１バイトの「Entire_Disc_Flags」、１バイトの「Number of Segments」、各々８バイトの総３２個の「セグメント(Segment_0〜Segment_31)」を含んで構成される。
【００２７】
「PAC_ID」は、現在のＰＡＣの状態及び識別コードを提供する。例えば、「PAC_ID=00 00 00 00h」であれば、現在のＰＡＣは使用されていないことを意味する。書換え可能な高密度光ディスクの場合、「PAC_ID=FF FF FFh」であれば、現在のＰＡＣ領域は以前使用されたが、再使用可能であることを意味する。また、「PAC_ID」を所定のビット、例えば、「PAC_ID=54 53 54h」などの所定のビットで書込みことで、現在のドライブが自由にアクセス可能なディスクか否かを確認するコードとして活用することができる。換言すれば、現在のドライブが上記のように入力された「PAC_ID」を認識できない場合、現在のドライブは、バージョンが異なる等の理由のために、入力された「PAC_ID」が分からないと判断される。よって、「PAC_ID=54 53 54h」は、「Unknown PAC Rules」フィールドに書込まれた情報を参照する必要のあるコードとして活用される。
【００２８】
前述したように、「Unknown PAC Rules」フィールドは、現在のＰＡＣを認識しないドライブの動作範囲を指定するフィールドとして活用され、これを図５を参照して説明する。図５は、本発明の実施形態による「Unknown PAC Rules」フィールドの構成を示す図である。図５によれば、４バイト(３２ビット)で示される「Unknown PAC Rules」フィールドによって、ディスク上の様々な領域の制御及び／又は当該領域へのアクセスを定義する。図５のテーブルにおいて、「領域」カラムはディスク上の制御可能な領域を示し、「ビット数」カラムは制御ビット数を示し、「制御タイプ」カラムは読み／書き及び／又はその他の類似の動作などの、制御種類を示す。
【００２９】
「Unknown PAC Rules」フィールドの制御可能な／アクセス可能な領域／ゾーンは、複数の制御を含むことができる。例えば、「Unknown PAC Rules」は、「ＴＤＭＡ領域(ＴＤＤＳを除く)」に関する書き込み制御と、データ領域内の「スペア領域」に関する書き込み制御と、ＩＮＦＯ領域内のＣＤ(Control Data)領域に関する書き込み及び読み出し制御と、データ領域内にセグメント領域又はユーザーデータ領域が定義された場合、セグメント領域に関する書き込み及び読み出し制御と、ＩＮＦＯ領域のＰＡＣクラスターに関する書き込み及び読み出し制御とを含む。前述して定義したものなどのように、フィールドを使用することにより、「PAC_ID」を認識しないドライブのためのディスク内の制御可能な領域を、「Unknown PAC Rules」を用いて指定することができる。よって、ドライブバージョンが異なったり、或いは、ユーザーがアクセス制御を所望したりする場合に、「Unknown PAC Rules」は、ディスクの全体又はディスクの物理的領域内の特定の領域に対するアクセスを制御するために活用される。
【００３０】
図４に戻ると、「PAC Update Count」フィールドは、ＰＡＣの更新回数を示すフィールドである(最初は「０」に設定される)。その数はＰＡＣの書換え毎に増加する。また、「Entire Disc Flags」フィールドは、「unknown PAC」のための割当てに関係なく、ディスクの全体領域に適用されるフィールドとして活用され、これは再初期化を許容するか否かを示すことができる。但し、１度だけ書込み可能な高密度光ディスクの場合には、再初期化は許容されない。この場合、「Entire Disc Flags」フィールドは、当該ＰＡＣがディスクの全体領域に適用可能であることを示し、また、「Number of Segments」フィールドは、ＰＡＣが適用可能なセグメント領域の数を示すフィールドである。
【００３１】
「Number of Segments」フィールドは、ＰＡＣに適用可能なセグメント領域の数を示す。セグメントは、一つのＰＡＣに割り当てることができるセグメントの最大数(例えば、３２個)を含む。割り当てられたセグメントに関する情報は、各々８バイトの「Segment_0」〜「Segment_31」のフィールドに書込まれる。「Segment_0」〜「Segment_31」フィールドの各々には、最初の４バイトのセグメント領域内の最初のクラスターの最初の物理的セクター番号(ＰＳＮ；Physical Sector Number)が書き込まれる。
【００３２】
図６を参照して、セグメントについてより詳細に説明する。図６は、本発明の実施形態による高密度光ディスク上のセグメント領域を示す図である。図６によれば、必要に応じて、高密度光ディスク上にＰＡＣを適用するために、「segment 0」からスタートしてセグメント領域の最大数(例えば、３２個)まで割り当てられる。すなわち、一つのＰＡＣにより管理されるセグメントは「segment 0」から昇順に最大数(例えば、３２個)まで割り当てられ、複数のＰＡＣが存在する場合にも、それぞれのＰＡＣにより管理されるセグメント領域の合計数は最大数(例えば、３２個)を超過しない。
【００３３】
例えば、割り当てられたセグメント領域のスタート位置を示す最初のクラスターの最初のＰＳＮと、割り当てられたセグメント領域の終り位置を示す最後のクラスターの最後のＰＳＮとを、「Segements」フィールド上に書込むことで、光ディスクドライブはセグメント領域の位置を確認することができる。例えば、一つのＰＡＣにより割り当てられて管理される、複数のセグメントは、互いに重複(overlap)せず、スタート位置及び終り位置はクラスター間の境界領域に指定される。
【００３４】
したがって、本発明の実施形態では、セグメント領域の数(例えば、３２個)を管理する複数のＰＡＣを提供する。これについては後でより詳細に説明する。
【００３５】
図７は、本発明の実施形態による高密度光ディスク上のＰＡＣ領域を示す図である。図７によれば、複数の「有効ＰＡＣ(Valid PAC)」の各々は、１クラスターのサイズとして３２クラスターのＰＡＣ領域(例えば、ＩＮＦＯ１又はＩＮＦＯ２内のＰＡＣ領域)上に書込まれる。有効ＰＡＣは前述したようないろいろな種類のＰＡＣ情報を持つ領域であり得る。更新の記録、欠陥及び／又は同様の条件などの理由により、光ディスクドライブがアクセスできないＰＡＣを、「無効ＰＡＣ(Invalid PAC)」とする。
【００３６】
前述したように、有効ＰＡＣは、ＰＡＣが書込まれる光ディスクドライブのバージョンに従属する所定のPAC_IDを含む。また、使用されていないＰＡＣ領域はスペアＰＡＣとして存在する。書換え可能な光ディスクの場合、00ビット(「PAC_ID=00 00h」)は、光ディスクドライブの設定に依存し、当該領域が使用されていないことを示すスペアＰＡＣ領域を占め、或いは、記録されていない（または未使用）領域として存在し得る。
【００３７】
しかしながら、１度だけ書込み可能な高密度光ディスクの場合、前述した情報はディスク上に物理的に１度だけ書込み可能である。よって、書込みが完了したり、ディスクがクローズされたりする(ユーザーがもう書き込みを実行しないことを選択した場合)まで、スペア領域は未記録状態のままである。
【００３８】
前述した構造のＰＡＣ領域において、(次の書込み可能な領域を迅速に検索するために、以前の記録及び無効ＰＡＣに起因して、)有効ＰＡＣ領域の位置を検索したり、或いは、もう記録を必要としない領域を避けたりすることは、ディスクの記録速度に影響を及ぼす(複数のリトライ(retry)プロセスが、欠陥領域を読み出すために必要とされる)。したがって、本発明の実施形態は、多様な種類のＰＡＣ関連状態情報を記録する方法を含む。例えば、複数の有効ＰＡＣの位置、次の書込み可能なＰＡＣの位置、及び／又は、他の関連情報を、ディスク構造内、例えば、ディスククローズが実行されるまでＴＤＤＳ内に書込む。ディスククローズが実行される場合、最近のＴＤＤＳ情報は、光ディスク内の別個のＤＭＡ(disc management area)のＤＤＳ(disc definition structure)に移される。
【００３９】
前述したように、ＴＤＤＳは、欠陥リストにおける最初の物理的セクター番号、ユーザーデータ領域の位置、及び／又はその他の類似の情報などの情報を含む領域である。より詳細には、ディスクのＴＤＤＳ内に書込まれる情報は、ＴＤＦＬ(temporary defect list)及び／又はＴＤＤＳ情報を含む。ＴＤＤＳ内に書込まれた情報は、ディスクがドライブ内にロードされる際に、プリスキャン(pre-scan)され、プリロード(pre-load)される。したがって、複数の有効ＰＡＣの位置、及び次の書込み可能なＰＡＣ位置などの多様な状態情報がＴＤＤＳ内に書込まれた場合、光ディスクドライブは、ＰＡＣ領域の全体をスキャンしなくても、ＰＡＣ領域上の情報を容易に得られる。
【００４０】
次いで、ＰＡＣ領域の状態に係る多様な種類の情報を含むＴＤＤＳの構造の一例を詳細に説明する。図８は、本発明の実施形態による１度だけ書込み可能な高密度光ディスク内のＴＤＤＳの構造を示す図である。図８によれば、１度だけ書込み可能な光ディスクのＴＤＤＳは、ＴＤＤＳ識別子を示す「TDDS identifier」フィールド、ＴＤＤＳフォーマットを示す「TDDS format」フィールド、ユーザーデータ領域のＬＳＮ(Logical Sector Number)０の位置を示す「Location of LSN O of User Data Area」フィールド、ＰＡＣ状態情報を示す「PAC Status L0」フィールド、及び／又はデュアルレイヤ(dual layer)のためのＰＡＣ状態情報を示す「PAC Status L1」フィールドを含むことができる。
【００４１】
「PAC Status L0」フィールドは、合計１６ビットからなり、ＩＮＦＯ１領域のＰＡＣ１領域に存在するＰＡＣの状態を示すフィールドとしてだけでなく、ＩＮＦＯ２領域のＰＡＣ２領域としても使用される。ディスクがデュアルレイヤディスクである場合、「PAC Status L1」フィールドは、ＰＡＣが書込まれたデュアルレイヤディスクのレイヤを示すために使用される。
【００４２】
ＴＤＤＳ内にＰＡＣ状態情報を書込む方法の一例を詳細に説明する。図９Ａ〜図９Ｃは、本発明の実施形態による１度だけ書込み可能な高密度光ディスク内で、ＰＡＣ領域及びＰＡＣ状態情報を書き込む方法を示す図である。
【００４３】
図９Ａによれば、それぞれ１クラスターのサイズを有するＰＡＣの最大数(例えば、３２個)は、３２クラスターが割り当てられているＩＮＦＯ２領域内のＰＡＣ２領域に割り当てられる。ＰＡＣ２領域内に書込まれたＰＡＣはオリジナルＰＡＣであり、オリジナルＰＡＣのコピーはＩＮＦＯ１領域内のＰＡＣ１領域に書込まれる。また、ＩＮＦＯ１領域内のＰＡＣ１領域をオリジナルＰＡＣ領域とし、ＩＮＦＯ２領域内のＰＡＣ２領域にオリジナルのコピーを書込むこともできる。
【００４４】
図９Ｂに示すように、一つの「PAC Status L0」フィールドは、合計１２８ビット(又は１６バイト)を使用して、ＩＮＦＯ２領域内のＰＡＣ２領域及びＩＮＦＯ１領域内のＰＡＣ１領域のＰＡＣ状態を示すことができる。デュアルレイヤの場合には、「PAC Status L1」フィールドが追加されるので、合計２５６ビット(又は３２バイト)が使用される。したがって、一つのＰＡＣ領域に含まれる情報を示すために、２ビットが使用される。例えば、ＰＡＣ状態ビットマップ(bitmap)上のＰＡＣ２状態情報を有する６４ビットのうち、ビットｂ６３及びｂ６２はＰＡＣ２領域内のＰＡＣ＃１(「location 1」)の状態情報を含み、ビットｂ６１及びｂ６０はＰＡＣ２領域内のＰＡＣ＃２(「location 2」)の状態情報を含む。同様の方法で連続的に適用すれば、ビットｂ１及びｂ０は、ＰＡＣ２領域内のＰＡＣ＃３２(「location 32」)の状態情報を含む。換言すれば、一つのＰＡＣに対して２ビットが割り当てられ、これによりＰＡＣ２領域のＰＡＣ状態を示すことになる。同様に、ＰＡＣ１領域上の状態情報も、同じ方法を用いてＰＡＣ状態ビットマップ上に表現される。
【００４５】
図９Ｃは、２ビットで表現されるＰＡＣ領域に対するＰＡＣ状態を示す図である。図９Ｃによれば、ＰＡＣ状態を示す２ビットが、「００」の場合、当該ＰＡＣは書き込まれていない。当該２ビットが「０１」の場合、当該ＰＡＣは１度だけ書込み可能な高密度光ディスク内で使用されていない。書換え可能な高密度光ディスクの場合には、２ビットの「０１」は、当該ＰＡＣが書込まれていないことを示す「PAC_ID=00 00 00h」、或いは、当該ＰＡＣが以前に使用されたが、再使用可能なＰＡＣであることを示す「PAC_ID=FF FF FFh」として使用される。また、２ビットが「１０」の場合、当該ＰＡＣは欠陥領域、或いは、無効ＰＡＣであることを示す。２ビットが「１１」の場合、当該ＰＡＣは有効ＰＡＣであることを示す。
【００４６】
よって、次の書込み可能なＰＡＣ領域は、「PAC Status」フィールド内のＰＡＣ状態ビットが「００」として示されるＰＡＣ領域に該当する。また、欠陥領域の位置又は無効ＰＡＣは、「PAC Status」フィールド内のＰＡＣ状態ビットが「１０」として示されるＰＡＣ領域に該当する。さらに、有効ＰＡＣの位置は、「PAC Status」フィールド内のＰＡＣ状態ビットが「１１」として示されるＰＡＣ領域に該当する。前述した方法を使用することによって、ＴＤＤＳ領域内に含まれた１６バイト(又はデュアルレイヤの場合は３２バイト)の「PAC Status」フィールドを介して、ＰＡＣ２領域及びＰＡＣ１領域上に書込まれたＰＡＣのうち、有効ＰＡＣの位置、欠陥領域又は無効ＰＡＣの位置、次の書込み可能なＰＡＣの位置についての情報を、光ディスクドライブが得ることができる。より詳細な説明は、後述する。
【００４７】
図１０Ａ及び図１０Ｂは、本発明の実施形態による１度だけ書込み可能な高密度光ディスク上に書込まれたＰＡＣ領域及びＰＡＣ状態情報の例を示す図である。図１０Ａによれば、オリジナルＰＡＣが書込まれるＩＮＦＯ２領域内のＰＡＣ２領域は、有効ＰＡＣ、無効ＰＡＣ及び未記録ＰＡＣ(unrecorded PAC)領域を含むことができる。また、ＰＡＣ２領域内に書込まれたオリジナルＰＡＣのコピーは、ＰＡＣ１領域内に書込まれる。この際、例えば当該ＰＡＣ領域が欠陥領域であれば、記録処理においてエラーが発生し得る。したがって、エラーが発生すると、当該ＰＡＣはエラーが発生したＰＡＣ領域の次の連続するＰＡＣ領域内に記録される。オリジナルＰＡＣを記録する処理においてエラーが発生する場合にも、同じルールが適用される。
【００４８】
図１０Ｂは、ＰＡＣ状態情報を示すＴＤＤＳの「PAC Status」フィールド内に書込まれるＰＡＣ領域の例を示す図である。より詳細には、ＩＮＦＯ２領域のＰＡＣ２領域内において、ＰＡＣ＃１(「location 1」)は、有効ＰＡＣとして「PAC Status」フィールドの当該フィールドに「１１」が書込まれ、ＰＡＣ＃２(「location 2」)は、無効ＰＡＣとして当該フィールドに「１０」が書込まれる。当該領域の残りは、未記録状態として当該フィールドに「００」が書込まれ、これにより未記録状態を示す。一方、ＩＮＦＯ１領域のＰＡＣ１領域は、記録処理中にエラーが発生することで、ＰＡＣ＃１(「location 1」)は欠陥領域として定義されるので、「PAC Status」フィールドの当該フィールドに「１０」が書込まれる。次のＰＡＣ＃２(「location 2」)は、有効ＰＡＣとして当該フィールドに「１１」が書込まれる。また、次のＰＡＣ＃３(「location 3」)は、無効ＰＡＣとして当該フィールドに「１０」が書込まれる。当該領域の残りは、未記録状態なので、当該フィールドに「００」が書込まれる。
【００４９】
図１１Ａ〜図１１Ｄは、本発明の他の実施形態によるＰＡＣ領域及びＰＡＣ状態情報を書込む方法を示す図である。図１１Ａによれば、オリジナルＰＡＣはＩＮＦＯ２領域のＰＡＣ２領域上に書込まれ、オリジナルＰＡＣのコピーはＰＡＣ１領域上に書込まれる。本発明の他の実施形態による方法において、記録中に一方にエラーが発生すれば、当該領域は使用されない。同じ規則が、再生中に検出されたエラーにも適用される。より詳細には、オリジナルＰＡＣのコピーが書込まれたＰＡＣ１領域のＰＡＣ＃１(「location 1」)においてエラーが発生すれば、対応するＰＡＣ２の領域１(「location 1」)も同様に使用されない。次いで、ＰＡＣは領域１に連続した領域に再記録(re-write)される。
【００５０】
同様に、オリジナルＰＡＣが書込まれたＰＡＣ２領域のＰＡＣ＃３(「location 3」)においてエラーが発生すれば、対応するＰＡＣは領域３の連続する領域上に書込まれる。よって、ＰＡＣ１領域の対応する領域３も同様に使用されず、オリジナルＰＡＣのコピーはＰＡＣ１領域内において領域３の連続する次の領域に書込まれる。前述した方法を利用する場合、ＰＡＣ２領域及びＰＡＣ１領域上に書込まれた複数のＰＡＣは、各々同一であり、同一領域内に位置する。よって、ドライブがＩＮＦＯ２領域のＰＡＣ２領域を読み出す間にエラーが発生すれば、他の追加的な情報を必要とすることなく、ドライブは代替的に、ＩＮＦＯ１領域のＰＡＣ１領域内の同じ位置のＰＡＣにアクセスして、読み出すことが可能である。
【００５１】
また、ＴＤＤＳ上に書込まれるＰＡＣ領域の状態情報を示す場合、ＰＡＣは、ＰＡＣ２領域及びＰＡＣ１領域上の同一位置上に書込まれる。よって、ＰＡＣ２及びＰＡＣ１の何れか一つの情報だけを示すことができる。以下、図１１Ｂを参照して詳細に説明する。図１１Ｂによれば、ＴＤＤＳの「PAC Status」フィールド内において８バイト(又はデュアルレイヤディスクの場合は１６バイト)を使用することができ、ＰＡＣ２領域及びＰＡＣ１領域の何れか一つだけの状態情報を示す必要がある。状態情報が、図９Ｂにおいて示した実施形態で説明したように、２ビットマップを用いて示される場合、２ビットマップは、同じ情報を含むことになる。書込まれる２ビット情報は図１１Ｃに示したが、これは、図９Ｃで説明した同じ方法を用いて表現される。
【００５２】
図１１Ａにおいて示したように書込まれたＰＡＣ領域は、図１１Ｄに示すような「PAC Status」フィールド内に書込まれる。より詳細には、図１１Ｄによれば、ＰＡＣ２領域又はＰＡＣ１領域内において、領域１(「location 1」)はエラー領域であり、対応するフィールドに「１０」が書込まれ、領域２(「location 2」)は有効ＰＡＣであり、対応するフィールドに「１１」が書込まれる。また、領域３(「location 3」)はエラー領域であり、対応するフィールドに「１０」が書込まれ、領域４(「location 4」)は有効ＰＡＣであり、対応するフィールドに「１１」が書込まれる。当該領域の残りは未記録状態であり、対応するフィールドに「００」が書込まれる。
【００５３】
図１２は、本発明の実施形態による書込まれたＰＡＣが更新される場合に、ＴＤＤＳ上のＰＡＣ状態情報を表示する方法を示す図である。特に、図１２の部分(ａ)によれば、ＰＡＣは、ＩＮＦＯ２領域のＰＡＣ２領域及びＩＮＦＯ１領域のＰＡＣ１領域上に書込まれ、ＰＡＣ状態情報は、ＴＤＤＳの「PAC Status」フィールド内に書込まれる。一つの有効ＰＡＣ(ＰＡＣ１)を持つフィールドの例を説明する。前述したように書込まれたＰＡＣのために、書込まれた一つの有効ＰＡＣ情報の更新が必要である。本例において、光ディスクが高密度書換え可能な光ディスクの場合、情報は重ね書きにより書換え可能である。しかしながら、１度だけ書込み可能な高密度光ディスクの場合、重ね書きは活用できない。
【００５４】
したがって、１度だけ書込み可能な高密度光ディスクを使用する場合、更新された有効ＰＡＣは、図１２の部分(ｂ)に示すように、ＰＡＣ１の連続する次の領域内に書込まれる。最終的に、以前に書込まれたＰＡＣ１は無効ＰＡＣになり、対応する状態情報は有効ＰＡＣを示す「１１」から「１０」に更新される。また、新しく更新される次の有効ＰＡＣ１は、初めに記録された領域から有効ＰＡＣに、ＰＡＣ状態は「００」から「１１」に更新される。
【００５５】
また、図１２の部分(ｃ)に示すように、次の有効ＰＡＣ２を記録する場合、有効ＰＡＣ２のコピーがＩＮＦＯ１領域のＰＡＣ１領域内に書込まれる。この際、ＩＮＦＯ１領域のＰＡＣ１領域内に有効ＰＡＣ２を書込む過程においてエラーが発生し得る。エラーが発生すると、有効ＰＡＣ２はエラー領域の次に連続する書込み可能な領域内に書込まれる。よって、有効ＰＡＣ２の書込みにより、ＰＡＣ２領域を示すＰＡＣ状態情報は、ＰＡＣ２が未記録領域であったことを示す「００」から、「１１」に更新される。さらに、有効ＰＡＣ２を書込む間にエラーが発生したので、ＰＡＣ１領域を示すＰＡＣ状態情報は「００」から「１１」に更新される。また、有効ＰＡＣ２が、次の書込み可能な領域上に書込まれたので、ＰＡＣ状態情報は「００」から「１１」に更新される。
【００５６】
図示されていないが、有効ＰＡＣ領域内での読み出し中にエラーが発生する場合、状態情報は「１１」から「００」に更新される。また、ＴＤＤＳ情報は、ＴＤＭＡ内で、ディスクがクローズされるまで、必要に応じて連続的に更新される。また、前述したように、ＴＤＭＡが充分でなければ、追加のＴＤＭＡを割り当てることができる。
【００５７】
図１３は、本発明の他の実施形態による１度だけ書込み可能な高密度光ディスク内のＴＤＤＳを示す図である。図１３によれば、１度だけ書込み可能な高密度光ディスク内のＴＤＤＳは、ＴＤＤＳ識別子を示す「TDDS identifier」フィールド、ＴＤＤＳフォーマットを示す「TDDS format」フィールド、ユーザーデータ領域のＬＳＮ０の位置を示す「Location of LSN 0 of User Data Area」フィールド、ユーザーデータ領域の最後のＬＳＮの位置を示す「Last LSN of User Data Area」フィールド、ＰＡＣのエラー状態を示す「PAC Clusters Defect Status」フィールド、及び／又はＰＡＣ領域の割当て状態を示す「PAC Allocated Space」フィールドを含むことができる。前述した構造を持つＴＤＤＳ内の「PAC Clusters Defect Status」フィールド及び「PAC Allocated Space」フィールドは、様々なタイプのＰＡＣ状態情報、例えば、欠陥クラスターの位置やＰＡＣ領域上に割り当てられた有効ＰＡＣの位置等、を示すために使用される。
【００５８】
次に、「PAC Clusters Defect Status」フィールド及び「PAC Allocated Space」フィールドを用いて、ＰＡＣ状態情報を示す方法について詳細に説明する。図１４Ａ及び図１４Ｂは、本発明の他の実施形態による１度だけ書込み可能な高密度光ディスクのＰＡＣ領域及びＰＡＣ状態情報を書込む方法を示す図である。図１４Ａによれば、ＰＡＣの合計数(例えば、３２個)は、一つのＰＡＣ領域内に書込まれる。書込まれたそれぞれのＰＡＣについて、図１４Ｂに示すように、ＰＡＣクラスター内における欠陥を示すために、「PAC Clusters Defect Status」フィールド内において３２ビットを使用することができる。また、オリジナルＰＡＣのコピーを有するＰＡＣ１領域の状態を示すためには、６４ビットが必要であり得、デュアルレイヤの場合には１２８ビットが必要になる。より詳細には、図１４Ｂによると、対応するクラスターの欠陥状態を示すために、ＰＡＣ欠陥状態(「ＰＤＳ」)Ｎビットを使用することができる。「０」はＰＡＣクラスターＮが欠陥領域でないことを示し、「１」はＰＡＣクラスターＮが欠陥領域であることを示す。ＰＤＳ３１ビット及びＰＤＳ３０ビットは、各々ＰＡＣ＃１領域及びＰＡＣ＃２領域の状態を示すために連続的に割り当てられる。３２個のＰＤＳビットが、一つのＰＡＣ領域内の可能な欠陥状態を示すために提供される。さらに、ＰＡＣ領域の割り当て状態を示すために、「PAC Allocated Space」フィールド内において３２ビットを使用することができる。同様に、オリジナルＰＡＣのコピーを有するＰＡＣ１領域の状態を示すためには、６４ビットが必要になり、デュアルレイヤの場合は１２８ビットが必要になる。
【００５９】
図１４Ｂに示すＰＡＣ状態ビット(「ＰＳＢ」)Ｎビットは、ＰＡＣ領域の割当て状態を示すために使用される。「０」はＰＡＣクラスターＮが新しく割当て可能な状態であることを示し(すなわち、該当ＰＡＣは未用状態である)、「１」はＰＡＣクラスターＮが既に使用されていることを示す。ＰＤＳビットについての説明と同様に、ＰＳＢビットは、ＰＡＣ＃１からＰＡＣ＃３０まで連続的に割り当てられる。例えば、ビットＰＳＢ３１は、ＰＡＣ＃１領域の状態を示し、ＰＳＢ３０は、ＰＡＣ＃２領域の状態を示す。
【００６０】
図１５Ａ及び図１５Ｂは、本発明の他の実施形態による１度だけ書込み可能な高密度光ディスク内に書込まれたＰＡＣ領域及びＰＡＣ状態情報の例を示す図である。図１５Ａによれば、ＴＤＤＳ内においてＰＡＣ＃１、ＰＡＣ＃２及びＰＡＣ＃３が割り当てられる。図１５Ｂによれば、ＰＡＣ＃２が欠陥領域である場合、「PAC Clusters Defect Status」フィールド内のビットマップにおいて、ＰＡＣ＃２領域を示すＰＤＳビットを「１」として記録する。また、「PAC Allocated Space」フィールド内のビットマップにおいて、ビットＰＳＢ３１、ビットＰＳＢ３０及びビットＰＳＢ２９は、各々ＰＡＣ＃１、ＰＡＣ＃２及びＰＡＣ＃３を示し、これらも、予め割り当てられた状態を示す「１」として設定される。よって、前述した例のＴＤＤＳ情報により、光ディスクドライブはＰＡＣ＃４を次の書込み可能な領域として識別することができる。
【００６１】
図１６は、本発明の実施形態による１度だけ書込み可能な高密度光ディスクの記録／再生装置の構成を示す図である。図１６によれば、記録／再生装置は、光ディスクに記録／再生を行う記録／再生部１０と、これを制御するホスト又は制御部２０とを含んで構成される。例えば、記録／再生部１０は、前述した本発明の多様な実施形態と関連した「光ディスクドライブ」として動作する。
【００６２】
一実施形態では、ホスト２０は、記録／再生部１０に、光ディスクの特定領域への記録又は再生を命令し、記録／再生部１０は、ホスト２０の命令に従って特定領域への記録／再生を行うように動作する。
【００６３】
記録／再生部１０は、ホスト２０とデータ及び命令をやりとりする等の通信を行うインターフェース部１２と、光ディスクにデータを書込み、光ディスクからデータを読取るピックアップ部１１と、ピックアップ部１１から読取った信号を受信して、所望の信号値に復元し、記録する信号を光ディスクに記録される信号に変調して伝達するデータプロセッサー１３と、光ディスクから正確に信号を読み出し、光ディスクに信号を正確に記録するためにピックアップ部１１を制御するサーボ部１４と、管理情報を含んだ様々な情報及びデータが仮格納されるメモリ１５と、記録／再生部１０内の構成要素の制御を担当するマイクロコンピュータ１６とをさらに含む。
【００６４】
記録／再生装置を用いて１度だけ書込み可能な高密度光ディスクへＰＡＣを記録する方法について説明する。まず、光ディスクが記録／再生装置内に挿入されると、光ディスク内の全ての管理情報が読み出されて記録／再生部１０内のメモリに格納され、これらの管理情報は光ディスクの記録／再生時に活用される。このような状態で、ユーザーが光ディスクの特定領域に記録することを所望する場合、ホスト２０は、これを記録命令として受け取り、所望の記録位置についての情報を、記録するデータと共に記録／再生部１０に伝達する。
【００６５】
記録／再生部１０内のマイクロコンピュータ１６は、記録命令を受信し、メモリ１５に格納された管理情報からホスト２０の記録しようとする光ディスク内の領域が欠陥領域か否かを確認して、欠陥領域でない領域にホスト２０の記録命令に従ってデータの記録を実行する。ディスクの全体又は特定領域への記録が従来バージョンの記録／再生装置にない新しい機能を含んでいるため、従来バージョンの記録／再生装置が認識できないと判断される場合、或いは、ユーザーの要求に従ってディスク上の特定領域の記録や再生などの機能を制限しようとする場合には、記録／再生部１０内のマイクロコンピュータ１６は、領域に関する制御情報をディスク上のＰＡＣ領域に「Unknown PAC rule」として記録する。また、記録／再生部１０内のマイクロコンピュータ１６は、記録された状態についての「PAC_ID」、及びディスク上の特定領域に対する制御情報であるセグメント情報などの、ＰＡＣ情報を記録する。
【００６６】
ＰＡＣ情報は、ＩＮＦＯ２領域のＰＡＣ２領域に、必要に応じて複数個の有効ＰＡＣとして各々１クラスターのサイズで書込まれ、ＩＮＦＯ１領域のＰＡＣ１領域に、バックアップ用として複数個の有効ＰＡＣのコピーを書込む。本実施例では、マイクロコンピュータ１６は、データが書込まれる領域又はＰＡＣ領域の位置情報及びデータを、サーボ部１４とデータプロセッサー１３とに伝達し、ピックアップ部１１を介して光ディスク内の所望の位置で記録を完了できるようにする。
【００６７】
本発明の実施形態にかかる、ＰＡＣが書込まれた高密度光ディスクの記録／再生方法を説明する。光ディスクが記録／再生装置内に挿入されると、光ディスクに記録し、光ディスクを再生する際に使用される管理情報が、光ディスクから読み出されて、記録／再生部１０内のメモリ１５に格納される。メモリ１５に格納された情報には、ディスク上のＰＡＣ領域おける各種領域の位置情報が含まれる。次いで、ＰＡＣ領域内のＰＡＣのPAC_IDが識別され、PAC_IDが認識可能なPAC_IDであるか否かが判断される。
【００６８】
PAC_IDが認識可能である場合、本方法では、ディスクにデータを書込んだ記録／再生装置が現在使用している記録／再生装置と同じバージョンである、または、別個の記録／再生制限がないと判断され、ホスト２０からの命令に従って記録／再生が実行される。
【００６９】
PAC_IDが認識可能でない場合、本方法では、ディスクにデータを書込んだ記録／再生装置が現在使用している記録／再生装置と異なるバージョンであると判断され、「Unknown PAC Rule」を含むディスク上の記録／再生制限領域を参照して、ホスト２０からの命令に従って記録／再生が実行される。したがって、マイクロコンピュータ１６は、ホストからの命令に従って位置情報及びデータを、サーボ部１４及びデータプロセッサー１３に伝達し、ピックアップ部１１を介して光ディスク上の所望の位置において記録／再生を完了できるようにする。
【００７０】
前述したように、本発明の実施形態にかかる１度だけ書込み可能な高密度光ディスクの記録／再生方法及び装置は、次のような一つ以上の長所を持つ。
【００７１】
第一に、ＰＡＣを用いることによる、互いに異なるバージョンのドライブのディスク内のアクセス可能な領域の定義は、ユーザーデータが記録されたデータ領域のより強固な保護を可能にし、例えば、不正アクセス（例えば、ハッキング）を防止し、減少させる。
【００７２】
第二に、複数の有効ＰＡＣをディスク上に割当て、ＰＡＣ状態情報を示す情報をＴＤＤＳ内に書込むことで、高密度光ディスク内のＰＡＣを管理することができる。
【００７３】
第三に、ＰＡＣを用いてデータを記録／再生する方法及び装置は、高密度光ディスク上へデータをより効率的に記録し、高密度光ディスクからデータをより効率的に再生することを可能にする。
【００７４】
前述した本発明の実施形態は、当業者であれば、特許請求の範囲に開示された本発明の技術的思想から逸脱しない範囲内で、多様に変更・実施できることは明らかである。よって、本発明は、本発明の特許請求の範囲及びその等価の範囲内での変形及び修正を含む。
【図面の簡単な説明】
【００７５】
【図１】本発明の実施形態による１度だけ書込み可能な高密度光ディスクの全体構造を示す図である。
【図２】本発明の実施形態による１度だけ書込み可能な高密度光ディスクのＩＮＦＯ２領域及びＩＮＦＯ１領域を示す図である。
【図３】本発明の実施形態による１度だけ書込み可能な高密度光ディスク上に書込まれたＰＡＣの構造を示す図である。
【図４】本発明の実施形態による１度だけ書込み可能な高密度光ディスク上のＰＡＣの構造を示す図である。
【図５】本発明の実施形態による「Unknown PAC Rules」フィールドの構造を示す図である。
【図６】本発明の実施形態による高密度光ディスク内のセグメント領域を示す図である。
【図７】本発明の実施形態による１度だけ書込み可能な高密度光ディスク内のＰＡＣ領域を示す図である。
【図８】本発明の実施形態による１度だけ書込み可能な高密度光ディスク内のＴＤＤＳの構造を示す図である。
【図９Ａ】本発明の実施形態による１度だけ書込み可能な高密度光ディスク内のＰＡＣ領域及びＰＡＣ状態情報を示す図である。
【図９Ｂ】本発明の実施形態による１度だけ書込み可能な高密度光ディスク内のＰＡＣ領域及びＰＡＣ状態情報を示す図である。
【図９Ｃ】本発明の実施形態による１度だけ書込み可能な高密度光ディスク内のＰＡＣ領域及びＰＡＣ状態情報を示す図である。
【図１０Ａ】本発明の実施形態による１度だけ書込み可能な高密度光ディスク内に書込まれたＰＡＣ領域及びＰＡＣ状態情報を示す図である。
【図１０Ｂ】本発明の実施形態による１度だけ書込み可能な高密度光ディスク内に書込まれたＰＡＣ領域及びＰＡＣ状態情報を示す図である。
【図１１Ａ】本発明の実施形態によるＰＡＣ領域及びＰＡＣ状態情報を書込む方法を示す図である。
【図１１Ｂ】本発明の実施形態によるＰＡＣ領域及びＰＡＣ状態情報を書込む方法を示す図である。
【図１１Ｃ】本発明の実施形態によるＰＡＣ領域及びＰＡＣ状態情報を書込む方法を示す図である。
【図１１Ｄ】本発明の実施形態によるＰＡＣ領域及びＰＡＣ状態情報を書込む方法を示す図である。
【図１２】本発明の実施形態による書込まれたＰＡＣを更新する際に、ＴＤＤＳ上のＰＡＣ状態情報を表示する方法を示す図である。
【図１３】本発明の他の実施形態による１度だけ書込み可能な高密度光ディスク内のＴＤＤＳの構造を示す図である。
【図１４Ａ】本発明の他の実施形態による１度だけ書込み可能な高密度光ディスク内のＰＡＣ領域及びＰＡＣ状態情報を書込む方法を示す図である。
【図１４Ｂ】本発明の他の実施形態による１度だけ書込み可能な高密度光ディスク内のＰＡＣ領域及びＰＡＣ状態情報を書込む方法を示す図である。
【図１５Ａ】本発明の他の実施形態による１度だけ書込み可能な高密度光ディスク内に書き込まれたＰＡＣ領域及びＰＡＣ状態情報の例を示す図である。
【図１５Ｂ】本発明の他の実施形態による１度だけ書込み可能な高密度光ディスク内に書き込まれたＰＡＣ領域及びＰＡＣ状態情報の例を示す図である。
【図１６】本発明の実施形態による１度だけ書込み可能な高密度光ディスクの記録／再生装置のブロック図である。
【図１】
2007529842.tif 000003
【図２】
2007529842.tif 000004
【図３】
2007529842.tif 000005
【図４】
2007529842.tif 000006
【図５】
2007529842.tif 000007
【図６】
2007529842.tif 000008
【図７】
2007529842.tif 000009
【図８】
2007529842.tif 000010
【図９Ａ】
2007529842.tif 000011
【図９Ｂ】
2007529842.tif 000012
【図９Ｃ】
2007529842.tif 000013
【図１０Ａ】
2007529842.tif 000014
【図１０Ｂ】
2007529842.tif 000015
【図１１Ａ】
2007529842.tif 000016
【図１１Ｂ】
2007529842.tif 000017
【図１１Ｃ】
2007529842.tif 000018
【図１１Ｄ】
2007529842.tif 000019
【図１２】
2007529842.tif 000020
【図１３】
2007529842.tif 000021
【図１４Ａ】
2007529842.tif 000022
【図１４Ｂ】
2007529842.tif 000023
【図１５Ａ】
2007529842.tif 000024
【図１５Ｂ】
2007529842.tif 000025
【図１６】
2007529842.tif 000026
【国際調査報告】
2007529842.tif 000027
2007529842.tif 000028